(57)【要約】【課題】光の無い場合にも視認が可能な標識等を提供できるようにする。【解決手段】蓄光材料と無機蛍光材料とが混入されて成形された第１のシート２上に、再帰反射機能を持つ第２のシート３が積層固定されてなることを特徴とする蓄光反射シート。【選択図】図２
2005062793.tif 000002
【特許請求の範囲】
【請求項１】
蓄光材料と無機蛍光材料とが混入されて成形された第１のシート上に、再帰反射機能を持つ第２のシートが積層固定されてなることを特徴とする蓄光反射シート。
【請求項２】
再帰反射機能を持つシート裏面に、蓄光材料と無機蛍光材料とが混入された塗料が塗布されてなることを特徴とする蓄光反射シート。
【請求項３】
上層の再帰反射機能を持つ第１のシートと、下層の反射機能を持つ第２のシートと、それら両シート間に塗布介在される蓄光材料を含む塗料層とからなることを特徴とする蓄光反射シート。
【発明の詳細な説明】
【発明の詳細な説明】
【技術分野】
【０００１】  この発明は、安全標識等に使用される蓄光反射シートに関する。
【背景技術】
【０００２】  従来より道路の安全標識や安全服等には再帰反射シートが採用されており、視認性に優れることで道路工事現場等において重宝されている。
【発明が解決しようとする課題】
【０００３】  しかしながら再帰反射シートは光を反射するものであるので光の無い環境では視認できない。最近大きな地下鉄駅火災が発生した際、停電となって案内表示が見えなかったことが大きな惨事に繋がっており、そのような観点において光の無い場合においても視認できる標識等が求められている。
【０００４】  この発明は上記の点に鑑みて行なったもので、光の無い場合にも視認が可能な標識等を提供することができるようにすることを目的とする。
【課題を解決するための手段】
【０００５】  請求項１の発明では、蓄光材料と無機蛍光材料とが混入されて成形された第１のシート上に、再帰反射機能を持つ第２のシートが積層固定されてなることを特徴とする蓄光反射シートを提供する。
【０００６】  上記構成によれば、第１のシート表面から入射した光の一部はまずその再帰反射機能によりその入射方向に反射される。次に第２のシート内に侵入した光の一部は蓄光材料によって蓄光され、その蓄光された光エネルギーは時間経過後放射され、その光が第１のシートを通して外部に発光される。その際蛍光材料が蓄光材料からの光により蛍光を発し、その光も一体に外部に発光される。
【０００７】  このようして、光の無い環境においても第２のシートの蓄光材料からの発光により目視が可能で、とくに、その光が蛍光材料により増大されることで目視がより明瞭になされる。第１もしくは第２のシートの表面に不透光のインクにより表示体を印刷形成することで、その表示体部分とその他の部分との間に光のコントラストが生じてより高い表示機能が発揮される。とくに、その構造において全体が２層のシートよりなることで薄く構成でき、これにより湾曲性があり折れ曲がり面への取り付け等が容易に行なわれるものが得られる。
【０００８】  請求項２の発明では、再帰反射機能を持つシート裏面に、蓄光材料と無機蛍光材料とが混入された塗料が塗布されてなることを特徴とする蓄光反射シートを提供する。
【０００９】  上記構成によれば、表側のシートから入射した光の一部はまずその再帰反射機能によりその入射方向に反射される。次に塗料層内に侵入した光の一部は蓄光材料に蓄光され、その蓄光された光エネルギーは時間経過後放射され、その光が表側のシートを通して外部に発光される。その際蛍光材料が蓄光材料からの光により蛍光を発し、その光も一体に外部に発光される。
【００１０】  このようして、光の無い環境においても塗料層の蓄光材料からの発光により目視が可能で、とくに、その光が蛍光材料により増大されることで目視がより明瞭になされる。再帰反射機能を持つシートの表面に不透光のインクにより表示体を印刷形成することで、その表示体部分とその他の部分との間に光のコントラストが生じてより高い表示機能が発揮される。とくに、その構造においてシート裏面に塗料層が形成されただけであるので全体が薄く構成でき、これにより湾曲性があり折れ曲がり面への取り付け等が容易に行なわれるものが得られる。
【００１１】  請求項３の発明では、上層の再帰反射機能を持つ第１のシートと、下層の反射機能を持つ第２のシートと、それら両シート間に塗布介在される蓄光材料を含む塗料層とからなることを特徴とする蓄光反射シートを提供する。
【００１２】  上記構成によれば、第１のシートから入射した光の一部はまずその再帰反射機能によりその入射方向に反射される。次に塗料層内に侵入した光の一部は蓄光材料に蓄光され、その蓄光された光エネルギーは時間経過後放射され、その光が表側のシートを通して外部に発光される。塗料層を通過した光及び蓄光材料からの光は第２のシートにより反射される。
【００１３】  このようして、光の無い環境においても塗料層の蓄光材料からの発光により目視が可能で、とくに、その光が第２のシートにより反射されて増大されることで目視がより明瞭になされる。再帰反射機能を持つシートの表面に不透光のインクにより表示体を印刷形成することで、その表示体部分とその他の部分との間に光のコントラストが生じてより高い表示機能が発揮される。とくにその構成において、第１と第２のシートがその間に塗布介在される蓄光材料を含む塗料層により強固に固着されるようにすれば、別途両シートを固着する必要が無くなって製造容易に得られるようになる。
【００１４】  上記請求項それぞれの発明の蓄光反射シートは、各種安全のための標識や表示具として同様に広く使用でき、さらに衣類や各種乗り物等のファッション部材等としても有効に使用される。
【発明を実施するための最良の形態】［実施例１］【００１５】  図１の平面図、図２の断面図に示すように、蓄光反射シート１は蓄光材料としての蓄光顔料と無機蛍光材料としての無機蛍光顔料とが混入されて成形された透明塩化ビニール樹脂製の第１のシート２上に、再起反射機能を持つ透明塩化ビニール樹脂製の第２のシート３が積層固定されて構成されている。両シート２、３の固定は周縁がウェルダー加工により溶着されることで行なわれている。６は溶着部を示す。【００１６】  第１のシート２は０．２ｍｍ厚で、蓄光顏料としてイージーブライト社製のＥＺＣＧ−２５Ｅ（発色光グリーン  平均粒径２５ミクロン）が３０重量％の割合で混入され、さらに、無機蛍光顔料としてイージーブライト社製のＥＺＣＳＦ−ＳＧ（発色光グリーン  平均粒径８ミクロン）が上記蓄光顔料に対して０．００１５重量％の割合で混入されている。シート２の表面には不透光のインクにより表示体５が印刷形成されている。第２のシート３は０．２ｍｍ厚である。
［実施例２］【００１７】  図３の平面図、図４の断面図に示すように、蓄光反射シート７は、再起反射機能を持つシート８裏面に、蓄光材料である蓄光顔料と無機蛍光材料である無機蛍光顔料とが混入された塗料層９が設けられて構成されている。【００１８】  シート８は０．２ｍｍ厚で透明塩化ビニール樹脂製で再帰反射機能を持ち、その表面には不透光のインクにより表示体１０が印刷形成されている。【００１９】  塗料層９は０．２ｍｍ厚で、その塗料としては酢酸ブチル樹脂をバインダーとし、蓄光顔料としてイージーブライト社製のＥＺＣＧ−２５Ｅ（発色光グリーン  平均粒径２５ミクロン）が３０重量％の割合で混入され、さらに、無機蛍光顔料としてイージーブライト社製のＥＺＣＳＦ−ＳＧ（発色光グリーン  平均粒径８ミクロン）が上記蓄光顔料に対して０．００１５重量％の割合で混入されているものを用いる。
［実施例３］【００２０】  図５の平面図、図６の断面図に示すように、蓄光反射シート１２は上層の透明塩化ビニール樹脂製の再帰反射機能を持つ第１のシート１３と、下層の白色塩化ビニール樹脂製の反射機能を持つ第２のシート１４と、それら両シート１３、１４間に介在されかつ両シート１３、１４を固着する蓄光材料である蓄光顔料を含む塗料層１５とから構成されている。【００２１】  第１のシート１３は０．２ｍｍ厚で、その表面には不透光のインクにより表示体１７が印刷形成されている。第２のシート１４は０．２ｍｍ厚である。【００２２】  塗料層１５は０．２ｍｍ厚で、塗料層１５を形成する塗料としては、酢酸ブチル樹脂をバインダーとし、蓄光顔料としてイージーブライト社製のＥＺＣＧ−２５Ｅ（発色光グリーン  平均粒径２５ミクロン）が３０重量％の割合で混入されたものを用いる。
【発明の効果】
【００２３】  この発明の請求項１、２、３の発明による蓄光反射シートを用いることで、光の無い環境においても視認が可能な標識等が作製できるようになり、これにより交通環境等の安全性が高められるようになる。とくに、請求項１、２の蓄光反射シートは２層構造であるので薄くて湾曲しやすく使用に便利である利点がある。
【図面の簡単な説明】
【図１】この発明の蓄光反射シートの第１の実施形態の平面図
【図２】この発明の蓄光反射シートの第１の実施形態の断面図
【図３】この発明の蓄光反射シートの第１の実施形態の平面図
【図４】この発明の蓄光反射シートの第１の実施形態の断面図
【図５】この発明の蓄光反射シートの第１の実施形態の平面図
【図６】この発明の蓄光反射シートの第１の実施形態の断面図
【符号の説明】
１  蓄光反射シート
２  第１のシート
３  第２のシート
５  表示体
６  溶着部
【図１】
2005062793.tif 000003
【図２】
2005062793.tif 000004
【図３】
2005062793.tif 000005
【図４】
2005062793.tif 000006
【図５】
2005062793.tif 000007
【図６】
2005062793.tif 000008